(57)【要約】【課題】複数の発泡樹脂成形品を有する基材を備えていても、踏み心地が悪化することを抑えることができる浴室の洗い場床を提供することを目的とする。【解決手段】支持体の上に設けられ複数の部材に分割された基材であって、発泡樹脂により形成された基材と、前記基材の上に設けられ前記基材のクッション性よりも高いクッション性を有するクッション材と、前記クッション材の上に設けられ前記クッション材の硬度よりも高い硬度を有する表面材と、前記基材と前記クッション材との間に設けられた段差緩和部材であって、前記複数の部材のうちの互いに隣り合う前記部材同士の間に設けられ前記互いに隣り合う前記部材同士の間の境界部に生ずる段差を緩やかにする段差緩和部材と、を備えたことを特徴とする浴室の洗い場床が提供される。【選択図】図２
2015194011.tif 000002
【特許請求の範囲】
【請求項１】
支持体の上に設けられ複数の部材に分割された基材であって、発泡樹脂により形成された基材と、
前記基材の上に設けられ前記基材のクッション性よりも高いクッション性を有するクッション材と、
前記クッション材の上に設けられ前記クッション材の硬度よりも高い硬度を有する表面材と、
前記基材と前記クッション材との間に設けられた段差緩和部材であって、前記複数の部材のうちの互いに隣り合う前記部材同士の間に設けられ前記互いに隣り合う前記部材同士の間の境界部に生ずる段差を緩やかにする段差緩和部材と、
を備えたことを特徴とする浴室の洗い場床。
【請求項２】
前記段差緩和部材は、前記基材よりも軟質な樹脂により形成され、前記互いに隣り合う前記部材のそれぞれの表面に載置される平面部と、前記平面部に接続されて前記平面部と交差する方向へ延在し前記互いに隣り合う前記部材同士の間に挿入される挿入片と、を有することを特徴とする請求項１記載の浴室の洗い場床。
【請求項３】
前記基材は、外部へ流れる水を通す排水口に向けて下り方向へ傾斜する複数の排水傾斜面を有し、前記複数の排水傾斜面のうちの互いに隣り合う前記排水傾斜面同士の間の境界線に沿って前記複数の部材に分割されたことを特徴とする請求項１または２に記載の浴室の洗い場床。
【発明の詳細な説明】
【技術分野】
【０００１】
本発明の態様は、一般的に、浴室の洗い場床に関する。
【背景技術】
【０００２】
例えば、複数の部材に分割されたフロアと、フロアの上面に張り付けられた表面材と、を備えた衛生設備室用床がある（特許文献１）。特許文献１に開示された衛生設備室用床では、フロアを構成する複数の部材のそれぞれは、樹脂の成形体からなる。表面材は、樹脂シートで構成され、クッション性を向上させる機能を有する。
【０００３】
しかし、一般的に、樹脂の成形体からなる部材には寸法公差が設定されている。そのため、複数の部材を並べてフロアを形成すると、部材の出来上がりの寸法によっては、互いに隣り合う部材同士の間の境界部に段差が生ずることがある。比較的高いクッション性を有する表面材が段差の上に設けられると、使用者は、段差の上の表面材を踏んだときに、その段差を感ずるおそれがある。これにより、踏み心地が悪化するという問題がある。
【０００４】
繊維強化プラスチック（ＦＲＰ：Fiber Reinforced Plastics）の成形品と比較すると、発泡樹脂成形品を精密な寸法で製造することは困難である。そのため、フロアを構成する部材が発泡樹脂成形品である場合には、踏み心地がより一層悪化するおそれがある。
【先行技術文献】
【特許文献】
【０００５】
【特許文献１】特開２０１２−１７２４７４号公報
【発明の概要】
【発明が解決しようとする課題】
【０００６】
本発明は、かかる課題の認識に基づいてなされたものであり、複数の発泡樹脂成形品を有する基材を備えていても、踏み心地が悪化することを抑えることができる浴室の洗い場床を提供することを目的とする。
【課題を解決するための手段】
【０００７】
第１の発明は、支持体の上に設けられ複数の部材に分割された基材であって、発泡樹脂により形成された基材と、前記基材の上に設けられ前記基材のクッション性よりも高いクッション性を有するクッション材と、前記クッション材の上に設けられ前記クッション材の硬度よりも高い硬度を有する表面材と、前記基材と前記クッション材との間に設けられた段差緩和部材であって、前記複数の部材のうちの互いに隣り合う前記部材同士の間に設けられ前記互いに隣り合う前記部材同士の間の境界部に生ずる段差を緩やかにする段差緩和部材と、を備えたことを特徴とする浴室の洗い場床である。
【０００８】
この浴室の洗い場床によれば、基材が有する複数の部材のうちの互いに隣り合う部材同士の間の境界部に段差（高低差）が生じていても、段差緩和部材は、その段差を緩和するように作用する。そのため、例えば使用者がクッション材の上から段差を踏んだ場合でも、その段差を感ずることを抑えることができる。これにより、精密な精度で製造することが比較的困難な発泡樹脂製の基材が複数の部材に分割されていても、浴室の洗い場床の踏み心地が悪化することを抑え、浴室の洗い場床の使用時の快適性を維持することができる。
【０００９】
第２の発明は、第１の発明において、前記段差緩和部材は、前記基材よりも軟質な樹脂により形成され、前記互いに隣り合う前記部材のそれぞれの表面に載置される平面部と、前記平面部に接続されて前記平面部と交差する方向へ延在し前記互いに隣り合う前記部材同士の間に挿入される挿入片と、を有することを特徴とする浴室の洗い場床である。
【００１０】
この浴室の洗い場床によれば、互いに隣り合う部材同士の間の境界部に段差が生じていても、段差緩和部材のうちの少なくとも平面部は、発泡樹脂製の基材よりも軟質な樹脂により形成されているため、平面部の端部は、段差を介して互いに隣り合う部材のそれぞれの表面になじむ一方で、平面部の段差付近の部分は、挿入片が部材の側面に当接することによって段差にはなじまない。そのため、段差緩和部材は、段差を吸収することができる。
【００１１】
第３の発明は、第１または２の発明において、前記基材は、外部へ流れる水を通す排水口に向けて下り方向へ傾斜する複数の排水傾斜面を有し、前記複数の排水傾斜面のうちの互いに隣り合う前記排水傾斜面同士の間の境界線に沿って前記複数の部材に分割されたことを特徴とする浴室の洗い場床である。
【００１２】
この浴室の洗い場床によれば、複数の排水傾斜面のうちの互いに隣り合う排水傾斜面同士の間の境界線は、排水口に向けて下り方向の傾斜を有する。段差は、互いに隣り合う排水傾斜面同士の間の境界線の下に位置する。そのため、段差は、基材の排水傾斜面を分断しない。これにより、段差によって浴室の洗い場床の表面に凹みが生ずることを抑え、水がその凹みに溜まることを抑えることができる。そのため、浴室の洗い場床の排水性能が損なわれることを抑えることができる。
【発明の効果】
【００１３】
本発明の態様によれば、複数の発泡樹脂成形品を有する基材を備えていても、踏み心地が悪化することを抑えることができる浴室の洗い場床が提供される。
【図面の簡単な説明】
【００１４】
【図１】本発明の実施の形態にかかる浴室の洗い場床を備えた浴室ユニットを例示する模式的斜視図である。
【図２】図１に表したＡ−Ａ切断面の模式的断面図である。
【図３】本実施形態の床基材を表す模式的斜視図である。
【図４】本実施形態の床基材が有する各床部材を分解した模式的分解図である。
【図５】図２に表した領域Ｂを拡大した模式的拡大図である。
【図６】本実施形態の段差緩和部材の具体例を例示する模式的平面図である。
【図７】比較例にかかる洗い場床を表す模式的断面図である。
【発明を実施するための形態】
【００１５】
以下、本発明の実施の形態について図面を参照しつつ説明する。なお、各図面中、同様の構成要素には同一の符号を付して詳細な説明は適宜省略する。  
図１は、本発明の実施の形態にかかる浴室の洗い場床を備えた浴室ユニットを例示する模式的斜視図である。
【００１６】
図１に表したように、浴室設置面（例えば、建物の床）Ｈの上に設置された浴室ユニットにおいて、本実施形態に係る浴室の洗い場床（以下、説明の便宜上、単に「洗い場床」と称する）１は、浴槽２の隣りに配置されている。浴槽２と洗い場床１との間には、洗い場と浴槽設置部とを区切る仕切り壁となるバスエプロン９が設けられている。
【００１７】
本実施形態に係る洗い場床１は、長さ調整可能な支持脚６１を有する支持体６（図２参照）の上に設けられ、設置場所の床高さに対する洗い場床１の表面（洗い場床部１ａの表面）の高さを調整可能とされている。洗い場床１の下、すなわち洗い場床１と浴室設置面Ｈとの間の空間には、洗い場床１に設けられた排水口１５と浴室外の排水管路とを連通させる排水管５が敷設されている。なお、通常は、排水口１５には図示しない蓋が被せられている。
【００１８】
洗い場床１は、洗い場床部１ａの周縁部の各辺を囲むようにして止水壁１ｂが設けられることによって周縁部が上側に立ち上げられた浅底の器状（パン状）に形成され、浴室外部に湯水を漏出させないような立体的な形状となっている。図１に表した洗い場床部１ａの周縁部は、略四辺形である。但し、洗い場床部１ａの周縁部の形状は、略四辺形には限定されない。なお、本実施形態の説明においては、浴槽２側に設けられた止水壁１ｂについて他の止水壁１ｂと区別するときは、止水壁１ｂ（Ｗ）ということにする。
【００１９】
洗い場床部１ａの表面（以下の説明で用いる「表面」は、断りなき場合はいずれも浴室内側の面を指すこととする。）には、洗い場床部１ａの表面に付着した湯水を排水口１５まで流すようにするため、排水口１５に向けて所定の勾配を持った傾斜面からなる排水勾配面１１０、１１１、１１２及び１１３が設けられている。この勾配は、洗い場床部１ａの外周縁の各辺からそれぞれ遠ざかる方向に向けた下り勾配としている。また、互いに隣り合う排水勾配面同士の間の境界線（谷線）は、排水勾配面１１０、１１１、１１２及び１１３と同様に、排水口１５に向けて所定の勾配を有する。その境界線の勾配は、洗い場床部１ａの外周縁の各辺からそれぞれ遠ざかる方向に向けた下り勾配とされている。
【００２０】
本実施形態においては、洗い場床部１ａの浴槽２側に設けられた排水勾配面１１０は、排水口１５を間に挟んだ両側に跨って配置されている。洗い場床部１ａの浴槽２側の止水壁１ｂ（Ｗ）の表面と、洗い場床部１ａの表面と、の境界線Ｌは、同一直線上に存在している。排水勾配面１１０は、境界線Ｌから遠ざかる方向に向けて下り勾配となる傾斜を有する。
【００２１】
図２は、図１に表したＡ−Ａ切断面の模式的断面図である。  
図３は、本実施形態の床基材を表す模式的斜視図である。  
図４は、本実施形態の床基材が有する各床部材を分解した模式的分解図である。
【００２２】
図２に表したように、本実施形態に係る洗い場床１は、床基材１１と、クッション材１０１と、表面材１２と、を備える。洗い場床１は、支持体６の上に設けられている。浴槽２側を除く床基材１１の周囲には、図示しない浴室ユニットの壁材を載置可能な壁載せ部材７が設けられている。
【００２３】
床基材１１は、支持体６の上に設けられている。クッション材１０１は、床基材１１の上に設けられ、床基材１１のクッション性（弾性）よりも高いクッション性を有する。表面材１２は、クッション材１０１の上に設けられ、クッション材１０１の硬度よりも高い硬度を有する。本願明細書において、「硬度」とは、「硬さ」と同等であり、例えばビッカース硬さ試験（ＪＩＳ  Ｚ  ２２４４）、ブリネル硬さ試験（ＪＩＳ  Ｚ  ２２４３）、あるいはロックウェル硬さ（ＪＩＳ  Ｚ  ２２４５）などに基づいて測定可能な値をいう。
【００２４】
床基材１１は、洗い場床１の外郭表面形状の基礎になる形状を形成するもののため、洗い場床１の表面形状に相似した周縁部が上側に折り曲げられた浅底の器状（パン状）に形成されている。具体的には、床基材１１は、排水口１５を形成する凹形状部１５ａが設けられた床面部１１ａと、床面部１１ａの周縁部を囲むようにして設けられた立壁である立壁部１１ｂと、を有する。
【００２５】
床基材１１の床面部１１ａには、前述した洗い場床部１ａの排水勾配面１１０、１１１、１１２及び１１３を形成するための基準面となる傾斜面（排水傾斜面１１０ａ、１１１ａ、１１２ａ及び１１３ａ）が形成されている。床面部１１ａの傾斜面は、排水傾斜面１１０ａ、１１１ａ、１１２ａ及び１１３ａに分けられている。立壁部１１ｂには、止水壁１ｂを形成するための基準面となる立壁面が付与されている。そのため、床基材１１の表面は、全体として立体的な形状となっている。なお、排水勾配面の形態および排水傾斜面の形態は、図１および図３に表した例には限定されない。
【００２６】
排水傾斜面１１０ａ、１１１ａ、１１２ａ及び１１３ａは、排水勾配面１１０、１１１、１１２及び１１３と相似面になっている。また、立壁部１１ｂの表面は、止水壁１ｂの表面と相似面になっている。なお、この立体的な表面形状は、厳密には、クッション材１０１を介して表面に表面材１２を接着するため、洗い場床１の表面形状である排水勾配面や止水壁面から表面材１２の肉厚分だけ「オフセット」された形状となっているが、これを本発明では便宜上、「相似面」と呼ぶことにする。
【００２７】
床基材１１の素材としては、発泡性プラスチック（発泡樹脂）を用いることができる。本実施形態では、床基材１１は、少なくとも表面層を含む一部が発泡プラスチックによって形成されている。
【００２８】
発泡プラスチックとしては、例えば発泡ポリプロピレン、発泡ポリスチレン、発泡ポリエチレン、発泡ポリウレタンが用いられる。本実施形態では、一例として発泡ポリプロピレンが用いられている。発泡ポリプロピレンは、他の発泡プラスチックに比べて耐衝撃性が高いため、これを用いることで過酷な使用にも耐えうる強度の優れた床構造を提供できることになる。
【００２９】
表面材１２は、床基材１１の床面部１１ａを覆って洗い場床部１ａの表面を形成する部分と、床基材１１の立壁部１１ｂを覆って止水壁１ｂの表面を形成する部分と、を有する。
【００３０】
表面材１２は、床面部１１ａの排水傾斜面１１０ａ、１１１ａ、１１２ａ及び１１３ａに倣うように変形され、クッション材１０１を介して床基材１１の表面を覆うように接着される。なお、表面材１２の接着は、例えば接着剤や両面テープ、またはこれらの両方を用いて行なわれるが、本発明では基礎となる部材に隙間なく接して固定されている状態を「接着」としているため、溶着等他の固定方法も適用可能である。
【００３１】
クッション材１０１は、床基材１１と表面材１２との間に設けられている。クッション材１０１は、例えばウレタンなどの弾性を有する材料を含み、洗い場床１に程良い軟らかさを与えることができる。
【００３２】
図３に示す矢印Ｓ１は、排水傾斜面１１０ａ、１１１ａ、１１２ａ及び１１３ａのそれぞれの下り勾配の方向を表している。すなわち矢印Ｓ１の向く方向が、下りの方向を示している。このように、床基材１１において、排水傾斜面１１０ａ、１１１ａ、１１２ａ及び１１３ａは、床面部１１ａの外周縁の各辺を起点として、各辺と直交する方向に下がる傾斜平面になっている。
【００３３】
図４に表したように、本実施形態の床基材１１は、第１の床部材１１１ｂと、第２の床部材１１２ｂと、第３の床部材１１３ｂと、第４の床部材１１４ｂと、第５の床部材１１５ｂと、凹形状部１５ａと、を有する。つまり、床基材１１は、第１の床部材１１１ｂと、第２の床部材１１２ｂと、第３の床部材１１３ｂと、第４の床部材１１４ｂと、第５の床部材１１５ｂと、凹形状部１５ａと、に分割されている。
【００３４】
第１の床部材１１１ｂの表面は、床基材１１の排水傾斜面１１１ａを形成する。第２の床部材１１２ｂの表面は、床基材１１の排水傾斜面１１２ａを形成する。第３の床部材１１３ｂの表面は、床基材１１の排水傾斜面１１３ａを形成する。第４の床部材１１４ｂは、床基材１１の排水傾斜面１１０ａのうちの少なくとも一部を形成する。第５の床部材１１５ｂは、床基材１１の排水傾斜面１１０ａのうちの少なくとも一部を形成する。前述したように、凹形状部１５ａは、排水口１５を形成する。
【００３５】
本実施形態では、床基材１１は、複数の排水傾斜面１１０ａ、１１１ａ、１１２ａ及び１１３ａのうちの互いに隣り合う排水傾斜面同士の間の境界線（谷線）において、第１の床部材１１１ｂと、第２の床部材１１２ｂと、第３の床部材１１３ｂと、第４の床部材１１４ｂと、第５の床部材１１５ｂと、凹形状部１５ａと、に分割されている。
【００３６】
より具体的には、床基材１１は、排水傾斜面１１１ａと排水傾斜面１１３ａとの間の境界線において、第１の床部材１１１ｂと第３の床部材１１３ｂとに分割されている。第１の床部材１１１ｂと第３の床部材１１３ｂとの間の境界線は、排水傾斜面１１１ａと排水傾斜面１１３ａとの間の境界線に沿う。
【００３７】
床基材１１は、排水傾斜面１１２ａと排水傾斜面１１３ａとの間の境界線において、第２の床部材１１２ｂと第３の床部材１１３ｂとに分割されている。第２の床部材１１２ｂと第３の床部材１１３ｂとの間の境界線は、排水傾斜面１１２ａと排水傾斜面１１３ａとの間の境界線に沿う。
【００３８】
床基材１１は、排水傾斜面１１１ａと排水傾斜面１１０ａとの間の境界線において、第１の床部材１１１ｂと第４の床部材１１４ｂとに分割されている。第１の床部材１１１ｂと第４の床部材１１４ｂとの間の境界線は、排水傾斜面１１１ａと排水傾斜面１１０ａとの間の境界線に沿う。
【００３９】
床基材１１は、排水傾斜面１１２ａと排水傾斜面１１０ａとの間の境界線において、第２の床部材１１２ｂと第５の床部材１１５ｂとに分割されている。第２の床部材１１２ｂと第５の床部材１１５ｂとの間の境界線は、排水傾斜面１１２ａと排水傾斜面１１０ａとの間の境界線に沿う。
【００４０】
床基材１１は、排水傾斜面１１０ａのうちの凹形状部１５ａの端部において、第４の床部材１１４ｂと、凹形状部１５ａと、に分割されている。床基材１１は、排水傾斜面１１０ａのうちの凹形状部１５ａの他の端部において、第５の床部材１１５ｂと、凹形状部１５ａと、に分割されている。  
なお、床基材１１の分割位置は、図４に表した例には限定されない。
【００４１】
ここで、一般的に、樹脂の成形品には寸法公差が設定されている。そのため、樹脂の成形品の出来上がり寸法に、ばらつきが生ずることがある。成形誤差や、材料の収縮のばらつきなどを考慮すると、発泡プラスチック成形品の出来上がり寸法のばらつきは、繊維強化プラスチック（ＦＲＰ：Fiber Reinforced Plastics）成形品の出来上がり寸法のばらつきよりも大きいことがある。そのため、床基材１１が有する各部材（第１の床部材１１１ｂ、第２の床部材１１２ｂ、第３の床部材１１３ｂ、第４の床部材１１４ｂ、第５の床部材１１５ｂ、凹形状部１５ａ）の出来上がり寸法によっては、互いに隣り合う部材同士の間の境界部に段差が生ずることがある。
【００４２】
一方で、前述したように、本実施形態の洗い場床１では、床基材１１のクッション性よりも高いクッション性を有するクッション材１０１が、床基材１１と表面材１２との間に設けられている。そのため、例えば使用者が互いに隣り合う部材同士の間の段差上の表面材１２を踏むと、その段差を感ずることがある。これにより、洗い場床の踏み心地が悪化することがある。
【００４３】
これに対して、本実施形態にかかる洗い場床１では、床基材１１が有する各部材のうちの互いに隣り合う部材同士の間の境界部に生ずる段差を緩やかにする段差緩和部材が設けられている。クッション材１０１および表面材１２は、段差緩和部材の上に設けられている。
【００４４】
本実施形態によれば、床基材１１が有する各部材のうちの互いに隣り合う部材同士の間の境界部に段差（高低差）が生じていても、段差緩和部材は、その段差を緩和するように作用する。そのため、例えば使用者がクッション材１０１の上から段差を踏んだ場合でも、その段差を感ずることを抑えることができる。これにより、精密な精度で製造することが比較的困難な発泡樹脂製の床基材１１が複数の部材に分割されていても、洗い場床１の踏み心地が悪化することを抑え、洗い場床１の使用時の快適性を維持することができる。
【００４５】
また、前述したように、床基材１１は、複数の排水傾斜面１１０ａ、１１１ａ、１１２ａ及び１１３ａのうちの互いに隣り合う排水傾斜面同士の間の境界線（谷線）において、第１の床部材１１１ｂと、第２の床部材１１２ｂと、第３の床部材１１３ｂと、第４の床部材１１４ｂと、第５の床部材１１５ｂと、凹形状部１５ａと、に分割されている。
【００４６】
これによれば、複数の排水傾斜面１１０ａ、１１１ａ、１１２ａ及び１１３ａのうちの互いに隣り合う排水傾斜面同士の間の境界線は、排水口１５に向けて下り方向の傾斜を有する。段差１４１は、互いに隣り合う排水傾斜面同士の間の境界線の下に位置する。そのため、段差１４１は、排水傾斜面１１０ａ、１１１ａ、１１２ａ及び１１３ａあるいは排水勾配面１１０、１１１、１１２及び１１３を分断しない。これにより、段差１４１によって洗い場床１の表面に凹みが生ずることを抑え、水がその凹みに溜まることを抑えることができる。そのため、洗い場床１の排水性能が損なわれることを抑えることができる。
【００４７】
図５は、図２に表した領域Ｂを拡大した模式的拡大図である。  
図６は、本実施形態の段差緩和部材の具体例を例示する模式的平面図である。  
図７は、比較例にかかる洗い場床を表す模式的断面図である。  
図７は、図２に表した領域Ｂを拡大した模式的拡大図に相当する。
【００４８】
図５および図７に表したように、床基材１１が有する各部材（第１の床部材１１１ｂ、第２の床部材１１２ｂ、第３の床部材１１３ｂ、第４の床部材１１４ｂ、第５の床部材１１５ｂ、凹形状部１５ａ）の出来上がり寸法によっては、互いに隣り合う部材同士の間の境界部に段差１４１が生ずることがある。これは、図２〜図４に関して前述した通りである。また、床基材１１のクッション性よりも高いクッション性を有するクッション材１０１が、床基材１１と表面材１２との間に設けられている。
【００４９】
そのため、図７に表した比較例にかかる洗い場床において、例えば使用者が段差１４１の上の表面材１２を踏むと、その段差１４１を感ずることがある。これにより、洗い場床の踏み心地が悪化することがある。
【００５０】
これに対して、図５に表したように、本実施形態にかかる洗い場床１では、段差１４１を緩やかにする段差緩和部材８０が設けられている。図６に表したように、段差緩和部材８０は、平面部８１と、挿入片８３と、を有する。挿入片８３は、平面部８１と接続され、平面部８１と交差する方向に延在する。例えば、挿入片８３は、平面部８１と接続され、平面部８１と略直交する方向に延在する。なお、平面部８１には、端部にいくほど厚みが薄くなる勾配８５が設けられている。段差緩和部材８０は、発泡樹脂製の床基材１１よりも軟質な樹脂（例えばエラストマなど）により形成されている。
【００５１】
図５に表したように、段差緩和部材８０の平面部８１は、段差１４１を介して互いに隣り合う床部材（図５では第１の床部材１１１ｂおよび第３の床部材１１３ｂ）の表面（図５では排水傾斜面１１１ａおよび排水傾斜面１１３ａ）に載置されている。段差緩和部材８０の挿入片８３は、段差１４１を介して互いに隣り合う床部材（図５では第１の床部材１１１ｂおよび第３の床部材１１３ｂ）同士の間に挿入されている。
【００５２】
これによれば、互いに隣り合う部材同士の間の境界部に段差１４１が生じていても、段差緩和部材８０のうちの少なくとも平面部８１は、発泡樹脂製の床基材１１よりも軟質な樹脂により形成され、端部にいくほど厚みが薄くなる勾配８５を有するため、平面部８１の端部は、段差１４１を介して互いに隣り合う床部材のそれぞれの表面になじむ。一方で、段差１４１付近において平面部８１が段差１４１に追従してなじもうとしても、挿入片８３が隣り合う床部材のうちの一方（図５では床部材１１１ｂ）の側面に当接するので、平面部８１と他方の床部材（図５では床部材１１３ｂ）との間に隙間が生まれる。そのため、平面部８１の段差１４１付近の部分が段差１４１に完全に追従してなじむことはない。よって、段差緩和部材８０は、段差１４１を吸収することができる。そのため、例えば使用者がクッション材１０１の上から段差１４１を踏んだ場合でも、段差１４１を感ずることを抑えることができる。これにより、精密な精度で製造することが比較的困難な発泡樹脂製の床基材１１が複数の部材に分割されていても、洗い場床１の踏み心地が悪化することを抑え、洗い場床１の使用時の快適性を維持することができる。
【００５３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗い場床１などが備える各要素の形状、寸法、材質、配置などや床基材１１、クッション材１０１、表面材１２および段差緩和部材８０の形状、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５４】
１ 洗い場床、  １ａ 洗い場床部、  １ｂ、１ｂ（Ｗ） 止水壁、  ２ 浴槽、  ５ 排水管、  ６ 支持体、  ７ 壁載せ部材、  ９ バスエプロン、  １１ 床基材、  １１ａ 床面部、  １１ｂ 立壁部、  １２ 表面材、  １５ 排水口、  １５ａ 凹形状部、  ６１ 支持脚、  ８０ 段差緩和部材、  ８１ 平面部、  ８３ 挿入片、  １０１ クッション材、  １１０、１１１、１１２、１１３ 排水勾配面、  １１０ａ、１１１ａ、１１２ａ、１１３ａ 排水傾斜面、  １１１ｂ 第１の床部材、  １１２ｂ 第２の床部材、  １１３ｂ 第３の床部材、  １１４ｂ 第４の床部材、  １１５ｂ 第５の床部材、  １４１ 段差
【図１】
2015194011.tif 000003
【図２】
2015194011.tif 000004
【図３】
2015194011.tif 000005
【図４】
2015194011.tif 000006
【図５】
2015194011.tif 000007
【図６】
2015194011.tif 000008
【図７】
2015194011.tif 000009